(57)【特許請求の範囲】
【請求項１】
上端開口の有底筒状をなすとともに、上面に複数の嵌合凹部５を凹設したケース体２と、該ケース体内に収納させる筒状胴部９上端縁より肩部10を介して口頚部11を起立するとともに、胴部周壁9a外周上端部より突設した複数の嵌合突部12を上記各嵌合凹部５内にそれぞれ嵌合させてケース体に着脱自在に装着させる合成樹脂製の液体収納容器体３と、上記ケース体２外周上端部に嵌合させる周壁16上端縁より内方へフランジ状頂壁17を延設してケース体に着脱自在に装着させる肩カバー４とを備え、上記液体収納容器体３を構成する壁部を薄肉に形成するとともに、一面或いは両面に説明書きや効能書きを施した補強筒13を上記液体収納容器体の胴部９外周に嵌着固定し、且つ、上記補強筒に破断部14を縦設して切り取り可能に形成したことを特徴とする液体収納容器。
【発明の詳細な説明】
【０００１】
【発明の属する技術分野】
本発明は液体収納容器に関する。
【０００２】
【従来の技術】
液体収納容器として、筒状胴部上端縁より肩部を介して口頚部を起立した合成樹脂製の容器体と、口頚部外周に嵌合させた周壁上端縁より口頚部上端開口を閉塞する頂壁を延設してなる合成樹脂製キャップとを備えたものが極一般に使用されている。
【０００３】
【発明が解決しようとする課題】
これらは一般に収納液使用後は廃棄されるため、装飾性に凝ったもの、或いは高価な材質のものを使用しにくい傾向がある。反面、徹底的に低価格を目指す場合にも、液を収納した状態での保形性或いは一応の外観等を要求されるため、限度があり、従って、収納液使用の都度廃棄するこの様な容器は不経済であった。
また、収納液使用の都度の廃棄はゴミの嵩，重量ともに増大し、現今のゴミ処理事情にそぐわない。
【０００４】
本発明は上記した点に鑑みなされたもので、外部に露出するケース体，肩カバーを装飾性に富んだ、外観良好なものとするため高価な材質等を使用しても、廃棄する廉価な多数の容器体を考慮した場合、長期使用の視野からすれば全体に低コストで得られ、しかも廃棄の際には、その嵩及び重量の少ないゴミとして処理でき、また、取り扱いも便利な優れた液体収納容器を提案するものである。
【０００５】
【課題を解決するための手段】
本請求項１発明の容器は上記課題を解決するため、上端開口の有底筒状をなすとともに、上面に複数の嵌合凹部５を凹設したケース体２と、該ケース体内に収納させる筒状胴部９上端縁より肩部10を介して口頚部11を起立するとともに、胴部周壁9a外周上端部より突設した複数の嵌合突部12を上記各嵌合凹部５内にそれぞれ嵌合させてケース体に着脱自在に装着させる合成樹脂製の液体収納容器体３と、上記ケース体２外周上端部に嵌合させる周壁16上端縁より内方へフランジ状頂壁17を延設してケース体に着脱自在に装着させる肩カバー４とを備え、上記液体収納容器体３を構成する壁部を薄肉に形成するとともに、一面或いは両面に説明書きや効能書きを施した補強筒13を上記液体収納容器体の胴部９外周に嵌着固定し、且つ、上記補強筒に破断部14を縦設して切り取り可能に形成したことを特徴とする液体収納容器として構成した。
【０００６】
【発明の実施の形態】
以下、本発明の実施例の形態を図面を参照して説明する。
図面に示す如く、本発明の液体収納容器１は、ケース体２と、液体収納容器体３と、肩カバー４とを備えている。
【０００７】
ケース体２は、液体収納容器体３を収納装着させるためのもので、上端開口の有底筒状をなし、上面に複数の嵌合凹部５を凹設している。そして、容器体内の収納液が無くなった場合に、容器体のみを外して交換する如く構成しており、その為、装飾性の高い，起立安定性の良い，耐久性に優れたものとすると良い。また、その材質は合成樹脂，金属等を選択すると良く、或いはそれらを併用すると良い。
【０００８】
本実施例では、底壁６周縁部より立設した円筒状の周壁７上端部を若干縮径した円筒状嵌合部８に形成し、嵌合部８の外周には周方向複数の間欠的螺条を突設している。また、嵌合部８上面の左右位置に一対の嵌合凹部５を凹設している。この嵌合凹部５は、実施例の如き二ヶ所に限らず三ヶ所以上設けることも可能である。
【０００９】
液体収納容器体３は、合成樹脂により形成されたもので、ケース体２内に収納させる筒状胴部９上端縁より肩部10を介して口頚部11を起立するとともに、胴部９の周壁9a外周上端部より突設した複数の嵌合突部12を上記各嵌合凹部５内にそれぞれ嵌合させてケース体２に着脱自在に装着させる如く構成している。
【００１０】
本発明では、この液体収納容器体３を構成する壁部を薄肉に形成している。また、容器体胴部９外周に補強筒13を嵌着固定し、また、この補強筒13に破断部14縦設して切り取り可能に形成している。
上記補強筒13は、壁部を薄肉にした容器体３をケース体装着前に確実に起立させておくことができる様に設けるもので、合成樹脂，紙或いは合成樹脂と紙との積層シート等より形成され、容器体胴部９外周面を出来るだけ広い面積で被覆すると良い。
【００１１】
破断部14は、容器体３をケース体２に装着する前に、容器体から補強筒13を取り除くためのもので、図面に示す実施例では、平行する二本のミシン目を縦設しているが、これに限られず、一本のミシン目を縦設したものであっても、或いは薄肉部を縦設したものであっても良く、要は容易な切断分離が可能な構造であれば良い。また、補強筒13の表面或いは裏面或いは両面には説明書きや効能書き等を施すと良い。
【００１２】
この様に構成した液体収納容器体３は、胴部９をケース体２上方より挿入収納し、口頚部11を上方に突出させた状態で各嵌合突部12を嵌合凹部５内に嵌合係止してケース体２に装着する。ケース体２への装着の前に破断部14を破断して補強筒13を剥がし、剥がした補強筒13は小さく折り畳む等して廃棄することが出来、或いは、説明書き等が付与してあるものは説明書きを読んだ後廃棄することが出来る。
【００１３】
尚、容器体３には、その口頚部11外周に着脱可能に嵌合させた周壁上端縁より口頚部上端開口を閉塞する頂壁を延設してなるキャップ15を着脱自在に装着している。このキャップ15も、ケース体及び肩カバー共々、容器体交換時に廃棄しない備え付けとして使用することも出来、その場合にはそれらと同様の装飾性の高い、耐久性に優れたものとすると良い。
【００１４】
肩カバー４も上記ケース体２と同様の材質で形成され、また、装着した容器体３を確実に係止させるためのもので、口頚部11外周に嵌合させた周壁16上端縁より内方へフランジ状の頂壁17を延設して構成している。この肩カバー４の頂壁17下面周縁部により、各嵌合凹部５内に嵌合させた各嵌合突部12上面を当接係止し、容器体のへたり等を防止する如く構成している。本実施例では、周壁内面にケース体２の上記螺条が係合する複数の螺旋状の凹溝を設けている。
【００１５】
上記の如く構成した容器１は、キャップ15を外して容器を傾倒させる等により収納液を注出できる。また、収納液を使い切った際には、肩カバー４を外して容器体を取り出し、交換用の容器体３の補強筒13を取り除いた後、ケース体に装着し、肩カバー４を装着固定すれば良い。
【００１６】
【発明の効果】
以上説明した如く本発明液体収納容器は、既述構成としたことにより、特に、上端開口の有底筒状をなすとともに、上面に複数の嵌合凹部５を凹設したケース体２と、該ケース体内に収納させる筒状胴部９上端縁より肩部10を介して口頚部11を起立するとともに、胴部周壁9a外周上端部より突設した複数の嵌合突部12を上記各嵌合凹部５内にそれぞれ嵌合させてケース体に着脱自在に装着させる合成樹脂製の液体収納容器体３と、上記ケース体２外周上端部に嵌合させる周壁16上端縁より内方へフランジ状頂壁17を延設してケース体に着脱自在に装着させる肩カバー４とを備えているので、収納液を使い切った際は容器体のみを廃棄し、交換用の容器体を装着すればよく、容器体以外のケース体等は永年使用することが出来て、それらを装飾性の高い高価なものとしても、ケース体及び肩カバーにより大部分が被覆される容器体は外観等に全く考慮を払う必要がなく極力廉価なものとすることができ、全体として廉価となる。
【００１７】
また、液体収納容器体３を構成する壁部を薄肉に形成するとともに、その胴部９外周に補強筒13を嵌着固定し、且つ、該補強筒に破断部14を縦設して切り取り可能に形成したので、容器体壁部が極めて薄い肉厚であっても、容器体を確実に起立させておくことが出来、従って、ケース体２に装着する前の交換用容器体３の保管，運搬，陳列等を便利に行える。また、廃棄の際には容器体３は補強筒13を切り取ってあるので、クチャクチャにまるめて廃棄することができ、ゴミの嵩を極力小さくすることが出来、また、重量も少くて済む。
【００１８】
また、容器体３の交換は肩カバー４を外して容器体を引き出し、新たな容器体３の補強筒13を切り取った後ケース体２に装着し、しかる後再び肩カバーを装着すれば良く、極めて容易に行える。
【図面の簡単な説明】
【図１】本発明液体収納容器の一実施例を示す分解斜視図である。
【図２】同実施例に於ける液体収納容器体及び補強筒を示す斜視図である。
【符号の説明】
２…ケース体，３…容器体，４…肩カバー，５…嵌合凹部，９…胴部，
9a…周壁，10…肩部，11…口頚部，12…嵌合突部，13…補強筒，14…破断部
【図１】
0003657393.tif 000002
【図２】
0003657393.tif 000003